(57)【要約】【課題】複数の移動通信システムが混在する際において、それぞれの移動通信システムに対応する無線基地局装置及び移動端末装置を提供すること。【解決手段】無線基地局装置においては、制御信号の変調信号を、予め決められた規則にしたがって所定のデータブロック単位（ＣＣＥ単位）で、ＬＴＥシステムのシステム帯域を一単位とする少なくとも一つの周波数領域に割り当てる。移動端末装置においては、図４（ａ）に示す規則でデータブロックが割り当てられた場合には、各周波数領域において同じ番号のＣＣＥを一度に復調することにより自装置宛ての制御信号であるか否かを判断する。また、図４（ｂ），図４（ｃ）に示す規則でデータブロックが割り当てられた場合には、各周波数領域において特定のＣＣＥブロック範囲を復調することにより自装置宛ての制御信号であるか否かを判断する。【選択図】図４
2010068501.tif 000002
【特許請求の範囲】
【請求項１】
相対的に広い第１システム帯域を持つ第１移動通信システムの制御信号及び相対的に狭い第２システム帯域を持つ第２移動通信システムの制御信号を変調して変調信号とする変調手段と、予め決められた規則にしたがって、前記変調信号を所定のデータブロック単位で、前記第２システム帯域を一単位とする少なくとも一つの周波数領域に割り当てる制御信号割り当て手段と、周波数領域毎に前記変調信号にインターリーブを行うインターリーバと、インターリーブ後の変調信号を時間・周波数領域にマッピングするマッピング手段と、を具備することを特徴とする無線基地局装置。
【請求項２】
前記予め決められた規則は、特定の移動端末装置に送信する制御信号を、各周波数領域において同じ番号のデータブロックに割り当てる規則であることを特徴とする請求項１記載の無線基地局装置。
【請求項３】
前記予め決められた規則は、特定の移動端末装置に送信する制御信号を、各周波数領域において同じ番号までのデータブロック範囲内に割り当てる規則であることを特徴とする請求項１記載の無線基地局装置。
【請求項４】
前記マッピング手段は、周波数領域毎にマッピングを行うことを特徴とする請求項３記載の無線基地局装置。
【請求項５】
制御信号を割り当てるデータブロックの数をデータブロック範囲内において可変であることを特徴とする請求項３又は請求項４記載の無線基地局装置。
【請求項６】
移動端末装置からの信号の受信品質を判定する品質判定手段を具備し、前記制御信号割り当て手段は、前記品質判定手段の判定結果に基づいて制御信号を割り当てるデータブロックの数を決定することを特徴とする請求項５記載の無線基地局装置。
【請求項７】
前記予め決められた規則は、データブロックにシーケンス番号を付し、前記シーケンス番号順に複数の周波数領域にデータブロックを割り当てる規則であることを特徴とする請求項１記載の無線基地局装置。
【請求項８】
前記予め決められた規則は、各データブロックを複数の周波数領域に割り当てる規則であることを特徴とする請求項１記載の無線基地局装置。
【請求項９】
前記各データブロックを複数の周波数領域に割り当てる際に、時間分割多重及び／又はコード分割多重することを特徴とする請求項８記載の無線基地局装置。
【請求項１０】
無線基地局装置からの信号を時間・周波数領域からデマッピングするデマッピング手段と、デマッピング後の信号に前記周波数領域毎にデインターリーブを行うデインターリーバと、デインターリーブ後の信号を、予め決められた規則にしたがって復調して自装置宛ての制御信号であるか否かを判断する復調手段と、を具備することを特徴とする移動端末装置。
【請求項１１】
前記予め決められた規則は、各周波数領域において同じ番号のデータブロックを一度に復調して自装置宛ての制御信号であるか否かを判断する規則であることを特徴とする請求項１０記載の移動端末装置。
【請求項１２】
前記予め決められた規則は、各周波数領域において同じ番号までのデータブロック範囲内で復調を行って自装置宛ての制御信号であるか否かを判断する規則であることを特徴とする請求項１０記載の移動端末装置。
【請求項１３】
相対的に広い第１システム帯域を持つ第１移動通信システムの制御信号及び相対的に狭い第２システム帯域を持つ第２移動通信システムの制御信号を変調して変調信号とする変調手段と、予め決められた規則にしたがって、前記変調信号を所定のデータブロック単位で、前記第２システム帯域を一単位とする少なくとも一つの周波数領域に割り当てる制御信号割り当て手段と、周波数領域毎に前記変調信号にインターリーブを行うインターリーバと、インターリーブ後の変調信号を時間・周波数領域にマッピングするマッピング手段と、を具備する無線基地局装置と、
前記無線基地局装置からの信号を時間・周波数領域からデマッピングするデマッピング手段と、デマッピング後の信号に前記周波数領域毎にデインターリーブを行うデインターリーバと、デインターリーブ後の信号を、予め決められた規則にしたがって復調して自装置宛ての制御信号であるか否かを判断する復調手段と、を具備する移動端末装置と、
を備えたことを特徴とする移動通信システム。
【発明の詳細な説明】
【技術分野】
【０００１】
本発明は、次世代移動通信システムにおける無線基地局装置及び移動端末装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（非特許文献１）。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（無線基地局装置や移動端末装置など）が必要となることが考えられる。
【非特許文献１】3GPP,  TR25.912  (V7.1.0),  "Feasibility  study  for  Evolved  UTRA  and  UTRAN",  Sept.  2006
【発明の開示】
【発明が解決しようとする課題】
【０００４】
本発明はかかる点に鑑みてなされたものであり、複数の移動通信システムが混在する際において、それぞれの移動通信システムに対応する無線基地局装置及び移動端末装置を提供することを目的とする。
【課題を解決するための手段】
【０００５】
本発明の無線基地局装置は、相対的に広い第１システム帯域を持つ第１移動通信システムの制御信号及び相対的に狭い第２システム帯域を持つ第２移動通信システムの制御信号を変調して変調信号とする変調手段と、予め決められた規則にしたがって、前記変調信号を所定のデータブロック単位で、前記第２システム帯域を一単位とする少なくとも一つの周波数領域に割り当てる制御信号割り当て手段と、周波数領域毎に前記変調信号にインターリーブを行うインターリーバと、インターリーブ後の変調信号を時間・周波数領域にマッピングするマッピング手段と、を具備することを特徴とする。
【０００６】
本発明の移動端末装置は、無線基地局装置からの信号を時間・周波数領域からデマッピングするデマッピング手段と、デマッピング後の信号に前記周波数領域毎にデインターリーブを行うデインターリーバと、デインターリーブ後の信号を、予め決められた規則にしたがって復調して自装置宛ての制御信号であるか否かを判断する復調手段と、を具備することを特徴とする。
【発明の効果】
【０００７】
本発明においては、無線基地局装置で、予め決められた規則にしたがって、変調信号を所定のデータブロック単位で相対的に狭いシステム帯域を一単位とする少なくとも一つの周波数領域に割り当て、移動端末装置で、予め決められた規則にしたがって復調して自装置宛ての制御信号であるか否かを判断する。このため、複数の移動通信システムが混在する場合においても、それぞれの移動通信システムに対応して移動通信を行うことが可能となる。
【発明を実施するための最良の形態】
【０００８】
図１は、下り回線で移動通信が行われる際の周波数使用状態を説明するための図である。図１に示す例は、相対的に広い第１システム帯域を持つ第１移動通信システムであるＬＴＥ−Ａシステムと、相対的に狭い第２システム帯域を持つ第２移動通信システムであるＬＴＥシステムが併存する場合の周波数使用状態である。ＬＴＥ−Ａシステムにおいては、例えば、８０ＭＨｚ以下の可変のシステム帯域幅で移動通信を行い、ＬＴＥシステムにおいては、２０ＭＨｚ以下の可変のシステム帯域幅で移動通信を行う。ＬＴＥ−Ａシステムのシステム帯域は、ＬＴＥシステムのシステム帯域を一単位とする少なくとも一つの周波数領域となっている。図１においては、ＬＴＥ−Ａシステムのシステム帯域は、ＬＴＥシステムのシステム帯域（ベース帯域：２０ＭＨｚ）を一単位とする４つの周波数帯域を含むシステム帯域（２０ＭＨｚ×４＝８０ＭＨｚ）となっている。図１においては、ＵＥ（User  Equipment）＃１は、ＬＴＥ−Ａシステム対応（ＬＴＥシステムにも対応）の移動端末装置であり、８０ＭＨｚのシステム帯域を持ち、ＵＥ＃２は、ＬＴＥシステム対応（ＬＴＥ−Ａシステムには対応せず）の移動端末装置であり、２０ＭＨｚ（ベース帯域）のシステム帯域を持ち、ＵＥ＃３は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持つ。
【０００９】
このように、ＬＴＥ−Ａシステムのシステム帯域を、ＬＴＥシステムのシステム帯域を一単位とする少なくとも一つの周波数帯域を含むシステム帯域となるように区分する発明については、本出願人が既に出願している（特願２００８−８８１０３）。なお、ＬＴＥ−Ａシステムについては、全ての移動端末装置に対して８０ＭＨｚの帯域を使って移動通信を行う必要はなく、８０ＭＨｚ以下の他のシステム帯域、例えば４０ＭＨｚの帯域を使って移動通信を行う移動端末装置があっても良い。
【００１０】
ＬＴＥ−Ａシステム及びＬＴＥシステムにおいては、下り回線でＯＦＤＭＡを用いるので、送信信号をシステム帯域の範囲内の周波数領域にマッピングして送信を行う。したがって、ＬＴＥ−Ａシステムにおいては、８０ＭＨｚ以下の帯域幅の周波数領域でマッピングを行い、ＬＴＥシステムにおいては、２０ＭＨｚ以下の帯域幅の周波数領域でマッピングを行うこととなる。ＬＴＥシステムでは、先頭の１個〜３個のＯＦＤＭシンボル（ＩＦＦＴ（Inverse  Fast  Fourier  Transform）単位）に制御信号がマッピングされる。
【００１１】
移動端末装置においては、無線基地局装置からの信号を受信する際に、自装置宛ての制御信号を復調して、その制御信号に含まれるスケジューリング情報や送信電力制御情報を用いて制御を行う。この場合において、各システムのシステム帯域の範囲内の周波数領域にマッピングされた信号をデマッピングし、デマッピング後の信号を復調して自装置宛ての制御信号であるかどうかを判断する。上述したように、ＬＴＥ−Ａシステムにおいては、８０ＭＨｚ以下の帯域幅の周波数領域でマッピングを行い、ＬＴＥシステムにおいては、２０ＭＨｚ以下の帯域幅の周波数領域でマッピングを行う。ＬＴＥシステムでは、２０ＭＨｚ以下の帯域幅で順次デマッピング後の信号を復調して自装置宛ての制御信号であるかどうかを判断することになる。一方、ＬＴＥ−Ａシステムにおいて、ＬＴＥシステムと同様に、８０ＭＨｚ以下の帯域幅で順次デマッピング後の信号を復調して自装置宛ての制御信号であるかどうかを判断すると、非常に処理時間がかかり、迅速に受信制御を行うことができない恐れがある。
【００１２】
本発明者らは上記の点に着目して本発明をするに至った。すなわち、本発明の骨子は、無線基地局装置において、予め決められた規則により制御信号を周波数領域に割り当て、移動端末装置において、ＬＴＥシステムにおける手順を踏まえた、予め決められた規則にしたがって復調して自装置宛ての制御信号であるか否かを判断することにより、移動端末装置における自装置宛ての制御信号の取得を迅速に行うことができると共に、複数の移動通信システム（ＬＴＥ−Ａシステム及びＬＴＥシステム）が混在する場合においても、それぞれの移動通信システムに対応して移動通信を行うことである。
【００１３】
以下、本発明の実施の形態について、添付図面を参照して詳細に説明する。
図２は、本発明の実施の形態に係る無線基地局装置の構成を示すブロック図である。図２に示す無線基地局装置は、送受信用のアンテナ１０１と、デュプレクサ１０２と、受信系処理部と、送信系処理部と、から主に構成されている。
【００１４】
受信系処理部は、移動端末装置から送られた信号に所定の受信処理を行う無線受信部１０３と、受信された信号にＦＦＴ（Fast  Fourier  Transform）演算を行うＦＦＴ部１０４と、ＦＦＴ演算後の信号をデマッピングするデマッピング部１０５と、デマッピング後の信号をデインターリーブするデインターリーバ１０６と、デインターリーブ後の信号を復調して受信データを得る復調部１０７とから主に構成されている。また、受信系処理部は、受信信号の品質を測定し、その測定結果に基づいて伝搬環境が良いか悪いかについて判定する受信品質判定部１１４を有する。なお、受信系処理部は、各移動端末装置に対して存在するが、図面を簡略化するために、図２においては、一つの移動端末装置に対する構成のみを示している。
【００１５】
送信系処理部は、移動端末装置に送信するデータを変調して変調信号とする変調部１０８ａ〜１０８ｅと、変調信号を、予め決められた規則により制御信号を所定の周波数領域に割り当てる制御信号割当て手段である制御信号スケジュール部１０９と、所定の周波数領域に割り当てた後の信号にインターリーブするインターリーバ１１０ａ〜１１０ｅと、インターリーブ後の信号を時間・周波数領域にマッピングするマッピング部１１１と、マッピング後の信号にＩＦＦＴ（Inverse  Fast  Fourier  Transform）演算を行うＩＦＦＴ部１１２と、ＩＦＦＴ演算後の信号に所定の送信処理を行う無線送信部１１３とから主に構成されている。
【００１６】
受信系処理部の無線受信部１０３においては、まず、受信した信号に対して利得制御がなされてベースバンド信号が得られる。次いで、このベースバンド信号が直交検波処理された後に不要周波数成分が除去され、その後Ａ／Ｄ変換される。Ａ／Ｄ変換後の信号がＦＦＴ部１０４に出力されると共に、受信品質判定部１１４に出力される。受信品質判定部１１４においては、ベースバンド信号の受信品質（例えば、受信電力、ＳＩＲ（Signal  Interference  Ratio）など）を測定し、その測定結果に基づいて移動端末装置との間の伝搬環境が良いか悪いかを判定する。例えば、受信品質の測定値に対してしきい値判定を行って、その判定結果により移動端末装置との間の伝搬環境が良いか悪いかを判定する。この伝搬環境の良し悪しの判定結果は、制御信号の変調部１０８ｂ，１０８ｃ及び／又は制御信号スケジュール部１０９に出力される。
【００１７】
ＦＦＴ部１０４においては、無線受信部１０３から出力された、それぞれの移動端末装置からのベースバンド信号をＦＦＴ演算して、各サブキャリアに割り当てられた信号を得る。この信号はデマッピング部１０５に出力される。デマッピング部１０５においては、得られた信号について、移動端末装置側のマッピング規則にしたがってデマッピングを行う。デマッピング後の信号は、移動端末装置毎のデインターリーバ１０６に出力される。デインターリーバ１０６においては、デマッピング後の信号にデインターリーブを行う。デインターリーブ後の信号は、それぞれ移動端末装置毎の復調部１０７に出力される。復調部１０７においては、デインターリーブ後の信号を復調して、各移動端末装置の受信データを得る。
【００１８】
送信系処理部の変調部１０８ａ〜１０８ｅでは、送信データを所定の変調方式でディジタル変調して変調信号とする。変調部１０８ａは、ＬＴＥシステム用の移動端末装置用の共有データを変調する。変調部１０８ｂは、ＬＴＥシステム用の移動端末装置用の制御信号を変調する。変調部１０８ｃは、ＬＴＥ−Ａシステム用の移動端末装置用の制御信号を変調する。変調部１０８ｄは、ＬＴＥ−Ａシステム用の移動端末装置用の共有データを変調する。変調部１０８ｅは、報知チャネルで報知する情報（報知データ）を変調する。共有データの変調信号は、インターリーバ１１０ｄに出力される。制御信号の変調信号は、制御信号スケジュール部１０９に出力され、スケジュールされた制御信号は、インターリーバ１１０ａ〜１１ｃに出力される。報知データの変調信号は、インターリーバ１１０ｅに出力される。変調部１０８ｂ，１０８ｃでは、受信品質判定部１１４における判定結果に基づいて、変調方式を変更しても良い。例えば、伝搬環境が悪い周波数領域においては相対的に低いレートの変調方式とする。
【００１９】
ここで、無線基地局装置から移動端末装置に送信される下り回線信号の制御信号が割り当てられるシステム帯域について説明する。図３は、ＬＴＥシステムのシステム帯域を説明するための図である。図３から分るように、ＬＴＥシステムにおいては、２０ＭＨｚ以下で種々のシステム帯域（図３においては、１．４ＭＨｚ、５ＭＨｚ、２０ＭＨｚ）を用いる。このシステム帯域は、例えば周波数，セル毎に適宜決定する。このシステム帯域において、下り回線制御チャネル及び共有データチャネルを用いて移動通信を行う。
【００２０】
下り回線の制御チャネルの制御信号は、図３に示すような複数のデータブロック（ここでは、２５個のデータブロック（ＣＣＥ：Control  Channel  Element））に振り分けられる１個のデータブロック（１ＣＣＥ）は、３６サブキャリア×１ＯＦＤＭシンボルに相当する。１サブキャリア×１ＯＦＤＭシンボルをリソースエレメント（Resource  Element：ＲＥ）といい、４リソースエレメントを１リソースエレメントグループ（Resource  Element  Group：ＲＥＧ）という。このデータブロック構成は、システム帯域が異なっていても同じである。すなわち、制御信号は、ＣＣＥに振り分けられ、このＣＣＥがシステム帯域に割り当てられることとなる。一方、ＬＴＥ−Ａシステムにおいても、ＬＴＥシステムと同様に、制御信号がＣＣＥに振り分けられ、このＣＣＥがシステム帯域である８０ＭＨｚ以下の周波数領域に割り当てられることとなる。したがって、図１を参照して説明すると、移動端末装置ＵＥ＃１に対する制御信号は、ＣＣＥに振り分けられ、このＣＣＥがシステム帯域である８０ＭＨｚに割り当てられ、移動端末装置ＵＥ＃２に対する制御信号は、ＣＣＥに振り分けられ、このＣＣＥがシステム帯域である２０ＭＨｚに割り当てられ、移動端末装置ＵＥ＃３に対する制御信号は、ＣＣＥに振り分けられ、このＣＣＥがシステム帯域である４０ＭＨｚに割り当てられる。なお、ＣＣＥが割り当てられるシステム帯域がチャネル符号化される単位である。
【００２１】
制御信号スケジューリング部１０９においては、制御信号の変調信号を、予め決められた規則にしたがって所定のデータブロック単位（ＣＣＥ単位）で、ＬＴＥシステムのシステム帯域を一単位とする少なくとも一つの周波数領域に割り当てる。例えば、ＬＴＥシステムの最大のシステム帯域である２０ＭＨｚを一単位とする周波数領域に制御信号をＣＣＥ単位で割り当てる。ここでは、ＬＴＥシステムの最大のシステム帯域である２０ＭＨｚを一単位として、３つの周波数領域＃１〜＃３に制御信号を割り当てる場合について説明する。
【００２２】
図４（ａ）〜（ｃ）は、制御信号をデータブロック単位で複数の周波数領域に割り当てる場合における予め決められた規則を説明するための図である。図４（ａ）〜（ｃ）に示す割り当ての方法は、複数の周波数領域にデータブロックを割り当てることからＬＴＥ−Ａシステムに対応する移動端末装置への送信の際に適用される方法である。ＬＴＥシステムに対応する移動端末装置への送信においては、一つの周波数領域にＣＣＥを割り当てることになる。
【００２３】
図４（ａ）は、予め決められた規則が、特定の移動端末装置に送信する制御信号を、各周波数領域において同じ番号のデータブロックに割り当てる規則である場合を示す図である。例えば、この規則においては、あるＬＴＥ−Ａシステムに対応する移動端末装置への制御信号を、すべての周波数領域の３番目のＣＣＥ（ＣＣＥ＃３）に割り当てる。この場合において、一つの周波数領域に割り当てる前記移動端末装置へのＣＣＥは一つとしている。
【００２４】
この規則でデータブロックを周波数領域に割り当てておくことにより、移動端末装置においては、各周波数領域の特定の順番のＣＣＥがすべて自装置宛の制御信号となる。したがって、各周波数領域において同じ番号のＣＣＥを一度に復調することにより自装置宛ての制御信号であるか否かを判断することができる。これにより、複数の周波数領域に制御信号が割り当てられていても、迅速に自装置宛の制御信号を取得することが可能となる。
【００２５】
図４（ｂ）は、予め決められた規則が、特定の移動端末装置に送信する制御信号を、各周波数領域において同じ番号までのデータブロック範囲内に割り当てる規則である場合を示す図である。図４（ｂ）は、複数の（ここでは２つの）ＣＣＥブロック（データブロック範囲）内に割り当てる場合について示している。例えば、この規則においては、あるＬＴＥ−Ａシステムに対応する移動端末装置への制御信号を、すべての周波数領域にわたってＣＣＥブロック範囲（図４（ｂ）においては最初のＣＣＥブロック範囲）内に割り当てる。この場合において、一つの周波数領域に割り当てる前記移動端末装置へのＣＣＥは一つとしている。
【００２６】
この規則でデータブロックを周波数領域に割り当てておくことにより、移動端末装置においては、各周波数領域において特定のＣＣＥブロック範囲に自装置宛の制御信号が含まれる。したがって、各周波数領域において特定のＣＣＥブロック範囲を復調し，自装置に割り当てられたＩＤ番号と一致するかを確認することにより自装置宛ての制御信号であるか否かを判断することができる。したがって、各周波数領域において同じ番号までのデータブロック範囲内で復調を行うことにより、複数の周波数領域に制御信号が割り当てられていても、迅速に自装置宛の制御信号を取得することが可能となる。このような規則においては、図４（ａ）に示す規則よりもフレキシビリティが大きくなる。
【００２７】
図４（ｃ）は、予め決められた規則が、特定の移動端末装置に送信する制御信号を、各周波数領域において同じ番号までのデータブロック範囲内に割り当てる規則であって、制御信号を割り当てるデータブロックの数をデータブロック範囲内で可変とする場合を示す図である。図４（ｃ）は、複数の（ここでは２つの）ＣＣＥブロック（データブロック範囲）内に割り当てる場合について示している。例えば、この規則においては、あるＬＴＥ−Ａシステムに対応する移動端末装置への制御信号を、すべての周波数領域にわたってＣＣＥブロック範囲（図４（ｃ）においては最初のＣＣＥブロック範囲）内に割り当てる。この場合において、周波数領域＃１の伝搬環境が悪く、周波数領域＃２，＃３の伝搬環境が良いので、周波数領域＃１において２つのＣＣＥを割り当て、周波数領域＃２，＃３において１つのＣＣＥを割り当てている。
【００２８】
なお、周波数領域の伝搬環境が良いか悪いかは、受信品質判定部１１４における判定結果に基づく。したがって、制御信号スケジューリング部１０９は、受信品質判定部１１４の判定結果に基づいて制御信号を割り当てるデータブロックの数を決定する。
【００２９】
この規則でデータブロックを周波数領域に割り当てておくことにより、移動端末装置においては、各周波数領域において特定のＣＣＥブロック範囲に自装置宛の制御信号が含まれる。したがって、各周波数領域において特定のＣＣＥブロック範囲を復調することにより自装置宛ての制御信号であるか否かを判断することができる。したがって、各周波数領域において同じ番号までのデータブロック範囲内で復調を行うことにより、複数の周波数領域に制御信号が割り当てられていても、迅速に自装置宛の制御信号を取得することが可能となる。この場合においては、伝搬環境の悪い周波数領域＃１には、２つのＣＣＥに制御信号を割り当てて伝送レートを下げているので、受信品質を向上させることができる。したがって、周波数領域において部分的に伝搬環境が悪くても高効率で移動通信を行うことが可能となる。このような規則においては、図４（ａ）に示す規則よりもフレキシビリティが大きくなる。
【００３０】
無線基地局装置が、制御信号をデータブロック単位で複数の周波数領域に割り当てる場合、ＬＴＥ−Ａシステムに対応する移動端末装置用の制御信号と、ＬＴＥシステムに対応する移動端末装置用の制御信号を、上述した規則にしたがって割り当てる。この場合においては、制御信号スケジュール部１０９が、図５に示すように、ＬＴＥ−Ａシステムに対応する移動端末装置用の制御信号を、周波数ダイバーシチ効果が発揮されるように、可能な限り広帯域の周波数領域にわたって割り当て、ＬＴＥシステムに対応する移動端末装置用の制御信号を、一つの周波数領域に割り当てる。すなわち、制御信号スケジュール部１０９は、周波数領域＃１に、ＬＴＥ−Ａシステムの＃１ＵＥ用の制御信号の一つのＣＣＥブロックと、ＬＴＥシステムの＃２ＵＥ用のすべての制御信号（４つのＣＣＥブロック）とを割り当てる。また、周波数領域＃２に、ＬＴＥ−Ａシステムの＃１ＵＥ用の制御信号の一つのＣＣＥブロックを割り当てる。また、周波数領域＃３に、ＬＴＥ−Ａシステムの＃１ＵＥ用の制御信号の一つのＣＣＥブロックと、ＬＴＥ−Ａシステムの＃３ＵＥ用の制御信号の２つのＣＣＥブロックとを割り当てる。周波数領域＃４に、ＬＴＥ−Ａシステムの＃１ＵＥ用の制御信号の一つのＣＣＥブロックと、ＬＴＥ−Ａシステムの＃３ＵＥ用の制御信号の２つのＣＣＥブロックとを割り当てる。このようにして、無線基地局装置において、ＬＴＥ−Ａシステムに対応する移動端末装置用の制御信号及びＬＴＥシステムに対応する移動端末装置用の制御信号を周波数領域に割り当てることができる。
【００３１】
また、無線基地局装置が、制御信号をデータブロック単位で複数の周波数領域に割り当てる場合、データブロックにシーケンス番号を付与し、複数の周波数領域にわたってシーケンス番号順にデータブロックを割り当てることが好ましい。例えば、図６（ａ）に示すように、２つの周波数領域＃１，＃２にわたって２つのデータブロックをそれぞれ割り当てる。すなわち、データブロックＣＣＥ＃１，ＣＣＥ＃２を周波数領域＃１，＃２にそれぞれ割り当て、データブロックＣＣＥ＃３，ＣＣＥ＃４を周波数領域＃１，＃２にそれぞれ割り当て、データブロックＣＣＥ＃５，ＣＣＥ＃６を周波数領域＃１，＃２にそれぞれ割り当て、データブロックＣＣＥ＃７，ＣＣＥ＃８を周波数領域＃１，＃２にそれぞれ割り当てる。また、図６（ｂ）に示すように、４つの周波数領域＃１〜＃４にわたって４つのデータブロックをそれぞれ割り当てる。すなわち、データブロックＣＣＥ＃１〜ＣＣＥ＃４を周波数領域＃１〜＃４にそれぞれ割り当て、データブロックＣＣＥ＃５〜ＣＣＥ＃８を周波数領域＃１〜＃４にそれぞれ割り当て、データブロックＣＣＥ＃９〜ＣＣＥ＃１２を周波数領域＃１〜＃４にそれぞれ割り当て、データブロックＣＣＥ＃１３〜ＣＣＥ＃１６を周波数領域＃１〜＃４にそれぞれ割り当てる。この場合、データブロックであるＣＣＥの定義については、図３を用いて説明したものに変わりはない。このような割り当て方法においては、データブロックが２つ以上であれば、周波数ダイバーシチ効果が得られる。
【００３２】
また、ＣＣＥブロックの構成を、図７（ａ），（ｂ）に示すように変更しても良い。この場合、一つのＣＣＥブロックに格納されるデータビット数は予め決められているので、そのデータビット数を変えることなく、ＣＣＥブロックの構成を変更する。例えば、一つのＣＣＥブロックが占有する周波数領域を広くし、ＣＣＥブロック範囲を狭くする。例えば、図７（ａ）に示すように、一つのＣＣＥブロックの構成を、図５に示すＣＣＥブロックの構成に対して４倍の周波数領域で１／４のＣＣＥブロック範囲とする。図７（ａ）に示す１ＣＣＥブロックと図５に示す１ＣＣＥブロックとは、格納するデータビット数は同じである。図７（ａ）に示すＣＣＥブロック構成とすることにより、ＣＣＥブロック数の少ない制御信号であっても周波数ダイバーシチを発揮させるようにできる。また、当然に、図７（ｂ）に示すように、図５に示すＣＣＥブロック構成と、図７（ａ）に示すＣＣＥブロック構成とを共存させた状態でＣＣＥブロックを周波数領域に割り当てるようにしても良い。すなわち、データ量が多いＬＴＥ−Ａシステム用の制御信号は、図５に示すＣＣＥブロック構成を用いて割り当て（図７（ｂ）において中央の領域）、データ量が少ないＬＴＥ−Ａシステム用の制御信号は、図７（ａ）に示すＣＣＥブロック構成を用いて割り当てる（図７（ｂ）において両側の領域）。これにより、制御信号のデータ量に応じて、効率良くＣＣＥブロックを周波数領域に割り当てることができる。
【００３３】
この場合においても、データブロックにシーケンス番号を付与し、複数の周波数領域にわたってデータブロックを割り当てることが好ましい。例えば、図８（ａ）に示すように、２つの周波数領域＃１，＃２にわたって１つのデータブロック（ＣＣＥ）を割り当てる。この場合においては、データブロックであるＣＣＥの定義を変更する。すなわち、１ＣＣＥは９ＲＥＧで構成されているので、図８（ａ）に示すように１つのデータブロックを２つの周波数領域にわたって割り当てるので、１ＣＣＥ当たり一つの周波数領域に４ＲＥＧ、もしくは、５ＲＥＧが割り当てられる。また、図８（ｂ）に示すように、４つの周波数領域＃１〜＃４にわたって１つのデータブロック（ＣＣＥ）を割り当てる。この場合においても、データブロックであるＣＣＥの定義を変更する。すなわち、１ＣＣＥは９ＲＥＧで構成されているので、図８（ｂ）に示すように１つのデータブロックを４つの周波数領域にわたって割り当てるので、１ＣＣＥ当たり一つの周波数領域に２ＲＥＧ、もしくは３ＲＥＧが割り当てられる。このような割り当て方法においては、１つのデータブロックでも周波数ダイバーシチ効果が得られる。
【００３４】
図８に示すように、ＣＣＥの定義を変更する場合においては、例えば、図９（ａ）に示すような時間分割多重（Time  Division  Multiplex）方式、図９（ｂ）に示すようなコード分割多重（Code  Division  Multiplex）方式、図９（ｃ）に示すようなレピテーション（繰り返し）方式などが挙げられる。
【００３５】
図９（ａ）に示すようなＴＤＭ方式でＣＣＥを定義する場合においては、上述したように１ＣＣＥは９ＲＥＧで構成されているので、割り当てる周波数領域の数が３以外の場合には、端数となるＲＥＧができる。この端数となるＲＥＧをどのように割り当てるかについて、周波数領域に割り当てられるＲＥＧ数が周波数領域で異なってもそのままＲＥＧを割り当てる方法（第１方法）と、１ＣＣＥを構成するＲＥＧ数を、周波数領域に割り当てられるＲＥＧ数が各周波数領域で同じとなるように割り当てる方法（第２方法）とが考えられる。
【００３６】
第１方法では、図１０（ｂ）に示すようにＲＥＧを割り当てる周波数領域の数が３つである場合には、各周波数領域に割り当てられるＲＥＧ数が同じであるが、図１０（ａ），（ｃ），（ｄ）に示すように、周波数領域の数が３つ以外である場合には、周波数領域に割り当てられるＲＥＧ数が異なる。図１０（ｃ）に示す場合を例にとると、ＣＣＥ＃１については、周波数領域＃１のＲＥＧ数が他の周波数領域＃２，＃３，＃４のＲＥＧ数と異なり、ＣＣＥ＃２については、周波数領域＃２のＲＥＧ数が他の周波数領域＃１，＃３，＃４のＲＥＧ数と異なり、ＣＣＥ＃３については、周波数領域＃３のＲＥＧ数が他の周波数領域＃１，＃２，＃４のＲＥＧ数と異なり、ＣＣＥ＃４については、周波数領域＃４のＲＥＧ数が他の周波数領域＃１，＃２，＃３のＲＥＧ数と異なる。
【００３７】
第２方法では、図１１（ａ）〜（ｄ）に示すように、１ＣＣＥを構成するＲＥＧ数を、周波数領域に割り当てられるＲＥＧ数が各周波数領域で同じとなるように割り当てる。図１１（ａ）に示す場合においては、１ＣＣＥを構成するＲＥＧ数を４つとして周波数領域に割り当てられるＲＥＧ数が各周波数領域で同じとし、図１１（ｂ）に示す場合においては、１ＣＣＥを構成するＲＥＧ数を３つとして周波数領域に割り当てられるＲＥＧ数が各周波数領域で同じとし、図１１（ｃ），（ｄ）に示す場合においては、１ＣＣＥを構成するＲＥＧ数を２つとして周波数領域に割り当てられるＲＥＧ数が各周波数領域で同じとする。なお、図１１（ａ），（ｃ），（ｄ）に示す場合においては、ブランクとなるＲＥＧが存在することとなる。なお、ブランクとなるＲＥＧが存在しないように、予めＣＣＥに対してレートマッチングしても良い。
【００３８】
図９（ｂ）に示すようなＣＤＭ方式でＣＣＥを定義する場合においては、図１２に示すように、ＣＣＥ（９ＲＥＧ）を拡散変調し、その拡散変調信号をコード多重してマッピングする。ここでは、拡散率（Spreading  Factor：ＳＦ）が４である。すなわち、図１２においては、ＣＣＥ＃１を拡散符号＃１で拡散し、ＣＣＥ＃２を拡散符号＃２で拡散し、ＣＣＥ＃３を拡散符号＃３で拡散し、ＣＣＥ＃４を拡散符号＃４で拡散する。このとき、拡散率が４であるので、それぞれのＣＣＥは４倍に拡散される。そして、４倍に拡散されたＣＣＥを４つの周波数領域＃１〜＃４に割り当てる。
【００３９】
ＣＤＭ方式を採用する場合においては、逆拡散処理の際にチャネル変動の影響で直交性が崩れない条件で採用する必要がある。ＬＴＥシステム、ＬＴＥ−Ａシステムにおいては、ＲＥＧ単位でインターリーブして周波数割り当てを行う。ＲＥＧは４つのＲＥ（サブキャリア）で構成されているので、この４つのサブキャリアは並んだ状態でインターリーブされ周波数割り当てされる。したがって、この４サブキャリアの中で拡散されるようにすれば直交性が保たれる。これを考慮すると、拡散率は４の約数である２又は４であることが望ましい。
【００４０】
また、ＣＤＭ方式を採用する場合において、４つ以外の周波数領域に割り当てるときには、例えば、５つ以上の周波数領域にＣＣＥを割り当てることも想定される。この場合においては、図１３に示すように、レートマッチングを行った後に拡散変調し、その後に拡散変調信号を各周波数領域に割り当てることが好ましい。この場合において、レートマッチングは、割り当てる周波数領域の数（Ｎ）と、拡散率（ＳＦ）を用いて行う。すなわち、図１３に示すように、ＣＣＥを割り当てる周波数領域数がＮであり、拡散率がＳＦであれば、係数（Ｎ／ＳＦ）を用いてレートマッチングする。このようにレートマッチングしておくことにより、拡散変調でＮ倍のＣＣＥが得られるので、そのＮ倍のＣＣＥをそれぞれＮ個の周波数領域に割り当てる。
【００４１】
上述したＴＤＭ方式とＣＤＭ方式は、単独で用いても良く、組み合わせて用いても良い。例えば、ＣＣＥを６つの周波数領域に割り当てる場合に、２つの周波数領域にＴＤＭ方式で割り当て、残りの４つの周波数領域にＣＤＭ方式で割り当てることができる。
【００４２】
上記のような規則で割り当てがなされた信号及び共有データ、並びに報知データの変調信号は、それぞれインターリーバ１１０ａ〜１１０ｅに出力される。インターリーバ１１０ａ〜１１０ｃにおいては、各周波数領域＃１〜＃３毎にインターリーブが行われる。インターリーブされた信号は、マッピング部１１１に出力される。マッピング部１１１においては、インターリーブ後の信号を時間・周波数領域にマッピングする。なお、上記図４（ｂ），（ｃ）に示す規則の場合においては、マッピング部１１１でのマッピングは、周波数領域＃１〜＃３毎に行われる。マッピングされた信号は、ＩＦＦＴ部１１２に出力される。
【００４３】
また、ＣＣＥの割り当てについてＴＤＭ方式、ＣＤＭ方式を採用する場合においては、制御信号スケジュール部１０９は、上述したレートマッチングするときに、ＣＣＥに対してレートマッチング処理する。また、ＣＣＥの割り当てについてＣＤＭ方式を採用する場合においては、レートマッチングしたＣＣＥあるいはレートマッチングしていないＣＣＥに対して拡散変調処理する。すなわち、ＣＣＥの割り当てについてＣＤＭ方式を採用する場合においては、制御信号スケジュール部１０９で、必要に応じてレートマッチング、拡散変調、マッピングする。
【００４４】
ＩＦＦＴ部１１２においては、マッピングされた信号をＩＦＦＴ演算してＯＦＤＭ信号とする。このＯＦＤＭ信号は、無線送信部１１３に出力される。無線送信部１１３においては、ＯＦＤＭ信号にＣＰ（cyclic  prefix）を付与し、Ｄ／Ａ変換されてベースバンド信号となり、ローパスフィルタで不要成分を除去した後に、アンプで増幅されて送信信号となる。この送信信号は、デュプレクサ１０２を経てアンテナ１０１を介して送信される。
【００４５】
上述したＣＣＥの定義を変更する場合において、報知データに、少なくとも割り当て周波数領域数（Ｎ）を含める。例えば、ＣＤＭ方式の場合については、割り当て周波数領域（Ｎ）と拡散率（ＳＦ）を報知データに含める。この報知データをＢＣＨ（Broadcast  Channel）で受信した移動端末装置は、この報知データ（周波数領域（Ｎ）と拡散率（ＳＦ））を用いて逆拡散処理、デマッピングする。なお、予め割り当て周波数領域数（Ｎ）に拡散率（ＳＦ）を関連付けておくことにより、報知データに割り当て周波数領域数（Ｎ）を含めるだけで移動端末装置で逆拡散処理、デマッピングすることができる。
【００４６】
図１４は、本発明の実施の形態に係る移動端末装置の構成を示すブロック図である。なお、図１４に示す移動端末装置は、ＬＴＥ−Ａシステム及びＬＴＥシステムの両方のシステムに対応できる移動端末装置である。図１４に示す移動端末装置は、送受信用のアンテナ２０１と、デュプレクサ２０２と、受信系処理部と、送信系処理部と、から主に構成されている。
【００４７】
受信系処理部は、無線基地局装置から送られた信号に所定の受信処理を行う無線受信部２０３と、受信された信号にＦＦＴ演算を行うＦＦＴ部２０４と、ＦＦＴ演算後の信号をデマッピングするデマッピング部２０５と、デマッピング後の信号をデインターリーブするデインターリーバ２０６ａ〜２０６ｅと、デインターリーブ後の信号を復調して受信データを得る復調部２０７ａ〜２０７ｃとから主に構成されている。
【００４８】
送信系処理部は、無線基地局装置に送信するデータを変調して変調信号とする変調部２０８ａ，２０８ｂと、変調信号に所定の送信処理を行う無線送信部２０９とから主に構成されている。
【００４９】
受信系処理部の無線受信部２０３においては、まず、受信した信号に対して利得制御がなされてベースバンド信号が得られる。次いで、このベースバンド信号が直交検波処理された後に不要周波数成分が除去され、その後Ａ／Ｄ変換される。Ａ／Ｄ変換後の信号がＦＦＴ部２０４に出力される。
【００５０】
ＦＦＴ部２０４においては、無線受信部２０３から出力された無線基地局装置からのベースバンド信号をＦＦＴ演算して、各サブキャリアに割り当てられた信号を得る。この信号はデマッピング部２０５に出力される。デマッピング部２０５においては、得られた信号について、無線基地局装置側のマッピング規則にしたがって時間・周波数領域からデマッピングを行う。デマッピング後の信号は、周波数領域毎のデインターリーバ２０６ａ〜２０６ｅに出力される。デインターリーバ２０６ａ〜２０６ｅにおいては、デマッピング後の信号にデインターリーブを行う。デインターリーブ後の信号は、復調部２０７ａ〜２０７ｃに出力される。
【００５１】
復調部２０７ａにおいては、デインターリーブ後の信号を復調して受信データ（共有データ）とし、復調部２０７ｂにおいては、デインターリーブ後の信号を復調して制御信号を得る。復調部２０７ｂにおいては、予め決められた規則にしたがって復調して自装置宛ての制御信号であるか否かを判断する。例えば、図４（ａ）に示す規則でデータブロックが割り当てられた場合には、各周波数領域において同じ番号のＣＣＥを一度に復調することにより自装置宛ての制御信号であるか否かを判断する。また、図４（ｂ），（ｃ）に示す規則でデータブロックが割り当てられた場合には、各周波数領域において特定のＣＣＥブロック範囲を復調することにより自装置宛ての制御信号であるか否かを判断する。また、復調部２０７ｃにおいては、報知チャネルで報知された報知データを復調する。これにより、移動端末装置は、少なくとも割り当て周波数領域数（Ｎ）を含む報知データを取得することができ、これにより、デマッピング部２０５で逆拡散処理、デマッピングすることができる。
【００５２】
送信系処理部の変調部２０８ａ，２０８ｂでは、送信データ及び制御信号を所定の変調方式でディジタル変調して変調信号とする。この変調信号は、無線送信部２０９に出力される。無線送信部２０９においては、変調信号に所定の送信処理が施される。このようにして得られた送信信号は、デュプレクサ２０２を経てアンテナ２０１を介して送信される。
【００５３】
次に、本発明の実施の形態に係る無線基地局装置及び移動端末装置で構成される移動通信システムにおける実施例について説明する。
【００５４】
（実施例１）
本実施例においては、データブロックを割り当てる規則が、特定の移動端末装置に送信する制御信号を、各周波数領域において同じ番号のデータブロックに割り当てる規則である場合について説明する。ここでは、ＬＴＥ−Ａシステムに対応する移動端末装置の制御信号がデータブロック＃３（ＣＣＥ＃３）に含まれており、ＬＴＥシステムに対応する移動端末装置の制御信号がデータブロック＃１（ＣＣＥ＃１）に含まれており、ＬＴＥ−Ａシステムのシステム帯域が周波数領域＃１〜＃３にわたっており、ＬＴＥシステムのシステム帯域が周波数領域＃２であるとする。
【００５５】
まず、無線基地局装置において、ＬＴＥ−Ａシステムの制御信号と、ＬＴＥシステムの制御信号とをそれぞれ変調部１０８ｃ，１０８ｂで変調して変調信号とする。この変調信号は制御信号スケジュール部１０９に出力される。制御信号スケジュール部１０９においては、ＬＴＥ−Ａシステムの制御信号を周波数領域＃１〜＃３にわたってデータブロック＃３（ＣＣＥ＃３）に割り当て、ＬＴＥシステムの制御信号を周波数領域＃２のデータブロック＃１（ＣＣＥ＃１）に割り当てる。割り当てられた制御信号は、インターリーバ１１０ａ〜１１０ｃに出力される。
【００５６】
また、無線基地局装置において、ＬＴＥ−Ａシステムの共有データと、ＬＴＥシステムの共有データとをそれぞれ変調部１０８ｄ，１０８ａで変調して変調信号とする。この変調信号はインターリーバ１１０ｄに出力される。
【００５７】
インターリーバ１１０ａにおいては、周波数領域＃１に割り当てられた制御信号をインターリーブし、インターリーブ後の制御信号がマッピング部１１１に出力される。インターリーバ１１０ｂにおいては、周波数領域＃２に割り当てられた制御信号をインターリーブし、インターリーブ後の制御信号がマッピング部１１１に出力される。インターリーバ１１０ｃにおいては、周波数領域＃３に割り当てられた制御信号をインターリーブし、インターリーブ後の制御信号がマッピング部１１１に出力される。したがって、ＬＴＥ−Ａシステムの制御信号は、インターリーバ１１０ａ〜１１０ｃでインターリーブされ、ＬＴＥシステムの制御信号は、インターリーバ１１０ｂでインターリーブされる。インターリーブされた制御信号はマッピング部１１１に出力される。インターリーバ１１０ｄにおいては、共有データをインターリーブし、インターリーブ後の信号がマッピング部１１１に出力される。インターリーバ１１０ｅにおいては、報知データをインターリーブし、インターリーブ後の信号がマッピング部１１１に出力される。
【００５８】
マッピング部１１１においては、インターリーブ後の信号を時間・周波数領域にマッピングする。マッピングされた信号は、ＩＦＦＴ部１１２に出力される。ＩＦＦＴ部１１２においては、マッピングされた信号をＩＦＦＴ演算してＯＦＤＭ信号とする。このＯＦＤＭ信号は、無線送信部１１３に出力され、上述した所定の送信処理がなされて送信信号となる。この送信信号は、デュプレクサ１０２を経てアンテナ１０１を介して送信される。
【００５９】
ＬＴＥ−Ａシステムに対応する移動端末装置においては、無線受信部２０３で受信信号に上述した所定の受信処理がなされてベースバンド信号とする。このベースバンド信号がＦＦＴ部２０４に出力され、ＦＦＴ演算されて、各サブキャリアに割り当てられた信号が得られる。この信号はデマッピング部２０５に出力される。デマッピング部２０５においては、得られた信号について、無線基地局装置側のマッピング規則にしたがって時間・周波数領域からデマッピングを行う。デマッピング後の信号は、周波数領域＃１〜＃３のデインターリーバ２０６ａ〜２０６ｅに出力され、デマッピング後の信号にデインターリーブが行われる。デインターリーブ後の信号は、復調部２０７ａ〜２０７ｃに出力される。
【００６０】
復調部２０７ａにおいては、デインターリーブ後の信号を復調して受信データ（共有データ）とし、復調部２０７ｂにおいては、デインターリーブ後の信号を復調して制御信号とし、復調部２０７ｃにおいては、デインターリーブ後の信号を復調して報知データとする。復調部２０７ｂにおいては、図１５に示すように、周波数領域＃１〜＃３で同じ番号のデータブロック（ＣＣＥ）を一度に復調する。すなわち、まず、周波数領域＃１〜＃３でＣＣＥ＃１を一度に復調し、次に、周波数領域＃１〜＃３でＣＣＥ＃２を一度に復調し、その次に周波数領域＃１〜＃３でＣＣＥ＃３を一度に復調する。この移動端末装置の制御信号が含まれるデータブロックはＣＣＥ＃３（図１５の黒い部分）であるので、復調部２０７ｂは、周波数領域＃１〜＃３のＣＣＥ＃３を復調したときに、自装置宛ての制御信号として取得する。この制御信号を用いて共有データの処理を行う。
【００６１】
一方、ＬＴＥシステムに対応する移動端末装置においては、上記と同様にして、受信信号に対して所定の受信処理、ＦＦＴ演算、デマッピング及びデインターリーブし、デインターリーブ後の信号を復調部に出力する。復調部においては、デインターリーブ後の信号を復調して制御信号を得る。復調部においては、周波数領域＃２においてデータブロック（ＣＣＥ）を順々に復調する。すなわち、まず、周波数領域＃２でＣＣＥ＃１を復調し、次に、周波数領域＃２でＣＣＥ＃２を復調し、その次に周波数領域＃２でＣＣＥ＃３を復調する。この移動端末装置の制御信号が含まれるデータブロックはＣＣＥ＃１（図１５の斜線部分）であるので、復調部は、周波数領域＃２のＣＣＥ＃１を復調したときに、自装置宛ての制御信号として取得する。この制御信号を用いて共有データの処理を行う。
【００６２】
このように、本実施例においては、各周波数領域において同じ番号のＣＣＥを一度に復調することにより自装置宛ての制御信号であるか否かを判断することができるので、複数の周波数領域に制御信号が割り当てられていても、迅速に自装置宛の制御信号を取得することが可能となる。なお、移動端末装置の制御信号が含まれるデータブロックの番号（ＣＣＥ＃Ｎ）は、移動端末装置が無線基地局装置と通信を開始する際に、無線基地局装置が報知する報知チャネル（ＢＣＨ）により取得することができる。
【００６３】
（実施例２）
制御信号スケジュール部１０９におけるＬＴＥ−Ａシステムの制御信号の割り当て規則を図４（ｂ）に示すようにすること、周波数領域＃１〜＃３毎にマッピングを行うこと、以外は実施例１と同様にして共有データ及び制御信号を無線基地局装置から移動端末装置に送信する。
【００６４】
ＬＴＥ−Ａシステムに対応する移動端末装置においては、実施例１と同様にして、受信信号に対して所定の受信処理、ＦＦＴ演算、デマッピング及びデインターリーブし、デインターリーブ後の信号を復調部に出力する。復調部においては、各周波数領域において特定のデータブロック範囲（ＣＣＥブロック範囲）を復調する。すなわち、まず、周波数領域＃１〜＃３でＣＣＥ＃１及びＣＣＥ＃２のＣＣＥブロック範囲を復調し、次に、周波数領域＃１〜＃３でＣＣＥ＃３及びＣＣＥ＃４のＣＣＥブロック範囲を復調し、その次に周波数領域＃１〜＃３でＣＣＥ＃５及びＣＣＥ＃６のＣＣＥブロック範囲を復調する。この移動端末装置の制御信号が含まれるデータブロックはＣＣＥ＃１及びＣＣＥ＃２のＣＣＥブロック範囲であるので（周波数領域＃１，＃３についてはＣＣＥ＃１に含まれ、周波数領域＃２についてはＣＣＥ＃２に含まれる）、復調部は、周波数領域＃１〜＃３のＣＣＥ＃１及びＣＣＥ＃２を復調したときに、自装置宛ての制御信号として取得する。この制御信号を用いて共有データの処理を行う。
【００６５】
このように、本実施例においては、各周波数領域において特定のデータブロック範囲を復調することにより自装置宛ての制御信号であるか否かを判断することができるので、複数の周波数領域に制御信号が割り当てられていても、迅速に自装置宛の制御信号を取得することが可能となる。本実施例においては、実施例１よりもフレキシビリティが大きいシステムとなる。なお、移動端末装置の制御信号が含まれるデータブロック範囲は、移動端末装置が無線基地局装置と通信を開始する際に、無線基地局装置が報知する報知チャネル（ＢＣＨ）により取得することができる。
【００６６】
（実施例３）
制御信号スケジュール部１０９におけるＬＴＥ−Ａシステムの制御信号の割り当て規則を図４（ｃ）に示すようにすること、周波数領域＃１〜＃３毎にマッピングを行うこと、以外は実施例１と同様にして共有データ及び制御信号を無線基地局装置から移動端末装置に送信する。
【００６７】
ＬＴＥ−Ａシステムに対応する移動端末装置においては、実施例１と同様にして、受信信号に対して所定の受信処理、ＦＦＴ演算、デマッピング及びデインターリーブし、デインターリーブ後の信号を復調部に出力する。復調部においては、各周波数領域において特定のデータブロック範囲（ＣＣＥブロック範囲）を復調する。すなわち、まず、周波数領域＃１〜＃３でＣＣＥ＃１及びＣＣＥ＃２のＣＣＥブロック範囲を復調し、次に、周波数領域＃１〜＃３でＣＣＥ＃３及びＣＣＥ＃４のＣＣＥブロック範囲を復調し、その次に周波数領域＃１〜＃３でＣＣＥ＃５及びＣＣＥ＃６のＣＣＥブロック範囲を復調する。この移動端末装置の制御信号が含まれるデータブロックはＣＣＥ＃１及びＣＣＥ＃２のＣＣＥブロック範囲であるので（周波数領域＃１についてはＣＣＥ＃１，ＣＣＥ＃２に含まれ、周波数領域＃２についてはＣＣＥ＃２に含まれ、周波数領域＃１についてはＣＣＥ＃１に含まれる）、復調部は、周波数領域＃１〜＃３のＣＣＥ＃１及びＣＣＥ＃２を復調したときに、自装置宛ての制御信号として取得する。この制御信号を用いて共有データの処理を行う。なお、周波数領域＃１の伝搬環境が悪いので、ＣＣＥ＃１及びＣＣＥ＃２の両方を復調し、周波数領域＃２のＣＣＥ＃２と周波数領域＃３のＣＣＥ＃１を復調して、これらにより自装置宛ての制御信号を取得する。
【００６８】
このように、本実施例においては、各周波数領域において特定のデータブロック範囲を復調することにより自装置宛ての制御信号であるか否かを判断することができるので、複数の周波数領域に制御信号が割り当てられていても、迅速に自装置宛の制御信号を取得することが可能となる。本実施例においては、実施例１よりもフレキシビリティが大きいシステムとなる。また、本実施例においては、伝搬環境の悪い周波数領域＃１には、２つのＣＣＥに制御信号を割り当てて伝送レートを下げているので、受信品質を向上させることができる。したがって、周波数領域において部分的に伝搬環境が悪くても高効率で移動通信を行うことが可能となる。なお、移動端末装置の制御信号が含まれるデータブロック範囲は、移動端末装置が無線基地局装置と通信を開始する際に、無線基地局装置が報知する報知チャネル（ＢＣＨ）により取得することができる。
【００６９】
このように本発明によれば、複数の移動通信システムが混在する際において、それぞれの移動通信システムに対応することができる。特に、無線基地局装置において、制御信号の変調信号を、予め決められた規則にしたがって所定のデータブロック単位（ＣＣＥ単位）で、ＬＴＥシステムのシステム帯域を一単位とする少なくとも一つの周波数領域に割り当て、移動端末装置において、予め決められた規則で復調することにより自装置宛ての制御信号であるか否かを判断するので、複数の周波数領域に制御信号が割り当てられていても、迅速に自装置宛の制御信号を取得することが可能となる。
【００７０】
本発明は上記実施の形態に限定されず、種々変更して実施することが可能である。例えば、上記実施の形態においては、共有データについて、送信側でインターリーブして送信し、受信側でインターリーブする場合について説明しているが、本発明はこれに限定されず、共有データについてインターリーブしない場合にも同様に適用することができる。また、本発明の範囲を逸脱しない限りにおいて、上記説明におけるデータブロック割り当て規則、処理部の数、処理手順、周波数領域やデータブロックの数、データブロック範囲については適宜変更して実施することが可能である。その他、本発明の範囲を逸脱しないで適宜変更して実施することが可能である。
【図面の簡単な説明】
【００７１】
【図１】下り回線で移動通信が行われる際の周波数使用状態を説明するための図である。
【図２】本発明の実施の形態に係る無線基地局装置の概略構成を示す図である。
【図３】ＬＴＥシステムのシステム帯域を説明するための図である。
【図４】（ａ）〜（ｃ）は、制御信号をデータブロック単位で複数の周波数領域に割り当てる場合における予め決められた規則を説明するための図である。
【図５】制御信号の周波数領域への割り当てを説明するための図である。
【図６】（ａ），（ｂ）は、制御信号の周波数領域への割り当てを説明するための図である。
【図７】（ａ），（ｂ）は、制御信号の周波数領域への割り当ての他の例を説明するための図である。
【図８】（ａ），（ｂ）は、制御信号の周波数領域への割り当てを説明するための図である。
【図９】（ａ）〜（ｃ）は、図８に示す態様における多重方式を説明するための図である。
【図１０】（ａ）〜（ｄ）は、ＴＤＭ方式の周波数領域割り当てを説明するための図である。
【図１１】（ａ）〜（ｄ）は、ＴＤＭ方式の周波数領域割り当てを説明するための図である。
【図１２】ＣＤＭ方式の周波数領域割り当てを説明するための図である。
【図１３】ＣＤＭ方式の周波数領域割り当てを説明するための図である。
【図１４】本発明の実施の形態に係る移動端末装置の概略構成を示す図である。
【図１５】本発明における制御信号割り当て規則にしたがって復調を行う場合を説明するための図である。
【符号の説明】
【００７２】
１０１，２０１  アンテナ
１０２，２０２  デュプレクサ
１０３，２０３  無線受信部
１０４，２０４  ＦＦＴ部
１０５，２０５  デマッピング部
１０６，２０６ａ〜２０６ｄ  デインターリーバ
１０７，２０７ａ〜２０７ｃ  復調部
１０８ａ〜１０８ｅ，２０８ａ，２０８ｂ  変調部
１０９  制御信号スケジュール部
１１０ａ〜１１０ｄ  インターリーバ
１１１  マッピング部
１１２  ＩＦＦＴ部
１１３，２０９  無線送信部
【図１】
2010068501.tif 000003
【図２】
2010068501.tif 000004
【図３】
2010068501.tif 000005
【図４】
2010068501.tif 000006
【図５】
2010068501.tif 000007
【図６】
2010068501.tif 000008
【図７】
2010068501.tif 000009
【図８】
2010068501.tif 000010
【図９】
2010068501.tif 000011
【図１０】
2010068501.tif 000012
【図１１】
2010068501.tif 000013
【図１２】
2010068501.tif 000014
【図１３】
2010068501.tif 000015
【図１４】
2010068501.tif 000016
【図１５】
2010068501.tif 000017